(57)【要約】【課題】電池パックにおいて、外力に対する強度を確保しつつ、電子機器装置を薄型化できるようにする。【解決手段】電池パック１は、２次電池２と、２次電池２を収納する２つの電池収納部３、４と、２つの電池収納部３、４を連結する平板形状の連結部５と、連結部５を補強する補強壁６とを備える。連結部５の上面５ｂは、電子機器装置への装着時に電池収納部３、４の上面３ｂ、４ｂよりも下方となる位置に形成されており、補強壁６は、連結部５の上面５ｂに繋がって形成されていると共に、電池収納部３、４に繋がって形成されている。このような構成により、連結部５の上方のスペース（電池収納部３と電池収納部４の間のスペース（凹部１０））を有効に利用して、電子機器装置の薄型化を図ることができる。しかも、補強壁６によって、連結部５における外力に対する強度が高められ、連結部５が破損するのを防止することができる。【選択図】図１
2011141995.tif 000002
【特許請求の範囲】
【請求項１】
２次電池を内蔵し、電子機器装置に装着して使用され、前記２次電池の電力を前記電子機器装置に供給する電池パックにおいて、
前記２次電池を収納する２つの電池収納部と、前記２つの電池収納部を連結する平板形状の連結部と、前記連結部を補強する補強壁とを備え、
前記連結部の上面は、前記電子機器装置への装着時に前記電池収納部の上面よりも下方となる位置に形成されており、
前記補強壁は、前記連結部の上面に繋がって形成されていると共に、前記２つの電池収納部に繋がって形成されている、
ことを特徴とする電池パック。
【請求項２】
前記連結部の下面は、前記２つの電池収納部の下面と連続的な面に形成されており、
前記連結部の後端面は、前記２つの電池収納部の後面と連続的な面に形成されており、
前記補強壁の後面は、前記連結部の後端面及び前記２つの電池収納部の後面と連続的な面に形成されている、
ことを特徴とする請求項１に記載の電池パック。
【請求項３】
前記電池収納部の前面から上面に到る部分が面取りされている、
ことを特徴とする請求項１に記載の電池パック。
【発明の詳細な説明】
【技術分野】
【０００１】
本発明は、電子機器装置に装着して使用され、電子機器装置に電力を供給する電池パックに関するものである。
【背景技術】
【０００２】
従来から、２次電池を備え、電子機器装置に装着されることにより、２次電池の電力を電子機器装置に供給する電池パックが知られている（例えば特許文献１乃至特許文献４参照）。このような電池パックは、例えば、直方体形状のケース内に２次電池を収納するなど、一般的に、厚みが一定の細長い形状になっている。また、このような電池パックは、電子機器装置の後端部などに装着されるようになっている。このような電池パックは、主に、携帯型の電子機器装置（例えば携帯型の光ディスク再生装置など）に装着して使用される。
【０００３】
一方、携帯型の電子機器装置において、画像を表示するための表示ユニットがヒンジユニットを介して本体ユニットに取付けられ、表示ユニットが本体ユニットに対して回動可能になっているものがある。このような電子機器装置は、本体ユニットとヒンジユニットとの結合において、一般的に、本体ユニットの後端部にヒンジユニットを結合している。また、ヒンジユニットが２軸に回動可能なものである場合（表示ユニットが本体ユニットに対して２軸に回動可能になっている場合）には、本体ユニットの後端部の中央箇所にヒンジユニットを結合している。
【先行技術文献】
【特許文献】
【０００４】
【特許文献１】特開平８−７６８９８号公報
【特許文献２】特許第３４０７９９０号公報
【特許文献３】特開平８−８３１３５号公報
【特許文献４】特開２００８−１４０６４８号公報
【発明の概要】
【発明が解決しようとする課題】
【０００５】
ところで、表示ユニットがヒンジユニットを介して本体ユニットに取付けられた電子機器装置においては、ヒンジユニットは、表示ユニットに結合される表示側結合部と、本体ユニットに結合される本体側結合部と、表示側結合部と本体側結合部とを回動可能に連結したヒンジ機構部とを有しており、本体ユニットは、その後端部に、ヒンジユニットの本体側結合部をネジ止めなどにより結合するためのヒンジ結合部を有している。
【０００６】
従って、表示ユニットがヒンジユニットを介して本体ユニットに取付けられた電子機器装置において、本体ユニットの後端部に電池パックを装着する構成を採用すると、ヒンジユニットの本体側結合部及び本体ユニットのヒンジ結合部の下方位置に、電池パックを装着するための電池パック装着部を設ける必要がある。その結果、ヒンジユニットの本体側結合部及び本体ユニットのヒンジ結合部の厚みに電池パック装着部の厚み（電池パックの厚み）が加わる分だけ、電子機器装置が厚くなってしまう。
【０００７】
また、他の電子機器装置においても、電子機器装置の後端部に電池パックを装着する構成を採用すると、電子機器装置の後端部に設けられた部品の下方位置に、電池パックを装着するための電池パック装着部を設ける必要があり、その結果、電子機器装置の後端部に設けられた部品の厚みに電池パック装着部の厚みが加わる分だけ、電子機器装置が厚くなってしまう。
【０００８】
そこで、２次電池として角型のもの（円筒型のものより厚みが小さい）を使用することにより、２次電池として円筒型のものを使用する構成と比較して、電池パックを薄型化し、電子機器装置を薄型化することが考えられる。
【０００９】
しかしながら、２次電池として角型のものを使用すると、角型の２次電池が高価であるため、電池パックが高価になる。また、単に、２次電池として角型のものを使用しただけでは、電池パックを効果的に薄型化することはできず、電子機器装置を効果的に薄型化することができない。また、電池パックは、外力を受けても破損しないように、外力に対する強度を確保する必要がある。
【００１０】
本発明は、上記課題を解決するためになされたものであり、外力に対する強度を確保しつつ、電子機器装置を薄型化することができる電池パックを提供することを目的とする。
【課題を解決するための手段】
【００１１】
上記目的を達成するために請求項１の発明は、２次電池を内蔵し、電子機器装置に装着して使用され、２次電池の電力を電子機器装置に供給する電池パックにおいて、２次電池を収納する２つの電池収納部と、２つの電池収納部を連結する平板形状の連結部と、連結部を補強する補強壁とを備え、連結部の上面は、電子機器装置への装着時に電池収納部の上面よりも下方となる位置に形成されており、補強壁は、連結部の上面に繋がって形成されていると共に、２つの電池収納部に繋がって形成されているものである。
【００１２】
請求項２の発明は、請求項１に記載の電池パックにおいて、連結部の下面は、２つの電池収納部の下面と連続的な面に形成されており、連結部の後端面は、２つの電池収納部の後面と連続的な面に形成されており、補強壁の後面は、連結部の後端面及び２つの電池収納部の後面と連続的な面に形成されているものである。
【００１３】
請求項３の発明は、請求項１に記載の電池パックにおいて、電池収納部の前面から上面に到る部分が面取りされているものである。
【発明の効果】
【００１４】
請求項１の発明によれば、２つの電池収納部を連結する連結部が平板形状であり、連結部の上面が電池収納部の上面よりも下方となる位置に形成されているため、連結部の上方のスペース（２つの電池収納部の間のスペース）を有効に利用して、電子機器装置の薄型化を図ることができる。例えば、表示ユニットがヒンジユニットを介して本体ユニットに取付けられた電子機器装置においては、ヒンジユニットの本体側結合部及び本体ユニットのヒンジ結合部を電池パックの連結部の上方のスペースに位置するように設けることにより、電子機器装置の薄型化を図ることができる。しかも、補強壁が連結部の上面及び２つの電池収納部に繋がって形成されているため、連結部における外力に対する強度が高められ、外力を受けたときに連結部が破損するのを防止することができる。従って、外力に対する強度を確保しつつ、電子機器装置を薄型化することができる。
【００１５】
請求項２の発明によれば、電池パックを電子機器装置に装着したときに、連結部の下面、連結部の後端面、及び補強壁の後面を、電池収納部の下面、及び電池収納部の後面と共に、電子機器装置の下面及び後面と連続的な面にすることができ、電子機器装置の見栄えを優れたものにすることができる。
【００１６】
請求項３の発明によれば、電池収納部の前面から上面に到る部分が面取りされているため、電池パックを電子機器装置に装着するときに、電池パックが電子機器装置に引っ掛かり難く、容易に電池パックを電子機器装置に装着することができる。
【図面の簡単な説明】
【００１７】
【図１】（ａ）は本発明の一実施形態に係る電池パックの概略構成を示す斜視図、（ｂ）は同電池パックの別の角度から見た斜視図。
【図２】（ａ）は同電池パックが装着されて使用される光ディスク再生装置の概略構成を示す斜視図、（ｂ）は同光ディスク再生装置の分解斜視図。
【図３】同光ディスク再生装置の断面図。
【発明を実施するための形態】
【００１８】
以下、本発明を具体化した実施形態による電池パックについて図面を参照して説明する。図１（ａ）（ｂ）は、本実施形態による電池パックの構成を示す。電池パック１は、電子機器装置に装着して使用され、電子機器装置に電力を供給する装置である。
【００１９】
電池パック１は、複数の２次電池２と、２次電池２を収納する２つの電池収納部３、４と、２つの電池収納部３、４を連結する連結部５と、連結部５を補強する補強壁６と、２次電池の充放電用の回路基板７とを備える。
【００２０】
電池収納部３、４は、電池パック１の長手方向の両端に設けられている。電池収納部３、４は、内部が中空になっており、２次電池２は、電池収納部３、４の内部に収納されている。２次電池２は、円筒型の２次電池である。電池収納部３の前面３ａから上面３ｂに到る部分、及び電池収納部４の前面４ａから上面４ｂに到る部分は、曲面に形成されて、面取りされている。
【００２１】
連結部５は、電池パック１の長手方向の中央（電池収納部３と電池収納部４の間）に設けられており、平板形状をしている。連結部５の上面５ｂは、電池収納部３の上面３ｂ、及び電池収納部４の上面４ｂよりも下方となる位置に形成されている。すなわち、電池パック１は、連結部５の上面５ｂが電池収納部３の上面３ｂ、及び電池収納部４の上面４ｂよりも下方にあることにより、電池パック１の長手方向の中央（電池収納部３と電池収納部４の間）に、コの字型の凹部１０を有している。
【００２２】
また、連結部５の下面５ｃは、電池収納部３の下面３ｃ、及び電池収納部４の下面４ｃと連続的な面に形成されており、連結部５の後端面５ｄは、電池収納部３の後面３ｄ、及び電池収納部４の後面４ｄと連続的な面に形成されている。また、連結部５は、内部が中空になっており、回路基板７は、連結部５の内部に設けられている。
【００２３】
電池収納部３、４及び連結部５は、下パック部材８と上パック部材９と結合することにより構成されている。下パック部材８及び上パック部材９は、各々、一体的に形成されている。つまり、電池収納部３、４及び連結部５は、下パック部材８及び上パック部材９により、一体的に構成されている。
【００２４】
補強壁６は、連結部５の上面５ｂに繋がって形成されていると共に、電池収納部３の内側面３ｅ、及び電池収納部４の内側面４ｅに繋がって形成されている。補強壁６の後面６ｄは、連結部５の後端面５ｄ、電池収納部３の後面３ｄ、及び電池収納部４の後面４ｄと連続的な面に形成されている。補強壁６は、電池収納部３、４及び連結部５と一体的に（電池収納部３、４及び連結部５の一部を構成する上パック部材９と一体的に）形成されている。
【００２５】
また、電池パック１は、電池パック１の電子機器装置への装着を案内するためのガイドレール１１、ガイド溝１２、及びガイド片１３と、電池パック１を電子機器装置に着脱するための着脱用爪１４と、電子機器装置と電気的接続を行うためのコネクタ１５等を備える。
【００２６】
ガイドレール１１は、電池収納部３、４の内側面３ｅ、４ｅに設けられている。ガイド溝１２は、電池収納部３、４の外側面３ｆ、４ｆに設けられている。ガイド片１３は、連結部５の前端面５ａに設けられている。着脱用爪１４は、電池収納部３、４の前面３ａ、４ａに設けられている。コネクタ１５は、連結部５の前端面５ａに設けられており、回路基板７と電気的に接続されている。
【００２７】
このような電池パック１は、主に、携帯型の電子機器装置（例えば携帯型の光ディスク再生装置など）に装着して使用される。
【００２８】
このような構成の電池パック１によれば、２つの電池収納部３、４を連結する連結部５が平板形状であり、連結部５の上面５ｂが電池収納部３、４の上面３ｂ、４ｂよりも下方となる位置に形成されているため、連結部５の上方のスペース（２つの電池収納部３、４の間のスペース（凹部１０））を有効に利用して、電子機器装置の薄型化を図ることができる。例えば、表示ユニットがヒンジユニットを介して本体ユニットに取付けられた電子機器装置においては、ヒンジユニットの本体側結合部及び本体ユニットのヒンジ結合部を電池パック１の連結部５の上方のスペースに位置するように設けることにより、電子機器装置の薄型化を図ることができる。しかも、補強壁６が連結部５の上面５ｂ及び２つの電池収納部３、４に繋がって形成されているため、連結部５における外力に対する強度が高められ、外力を受けたときに連結部５が破損するのを防止することができる。従って、このような構成の電池パック１によれば、外力に対する強度を確保しつつ、電子機器装置を薄型化することができる。
【００２９】
しかも、連結部５の下面５ｃ及び後端面５ｄは、電池収納部３、４の下面３ｃ、４ｃ及び後面３ｄ、４ｄと連続的な面に形成されていると共に、補強壁６の後面６ｄは、連結部５の後端面５ｄ及び電池収納部３、４の後面３ｄ、４ｄと連続的な面に形成されているため、電池パック１を電子機器装置に装着したときに、連結部５の下面５ｃ、後端面５ｄ、及び補強壁６の後面６ｄを、電池収納部３、４の下面３ｃ、４ｃ、後面３ｄ、４ｄと共に、電子機器装置の下面及び後面と連続的な面にすることができ、電子機器装置の見栄えを優れたものにすることができる。
【００３０】
また、電池収納部３、４の前面３ａ、４ａから上面３ｂ、４ｂに到る部分が曲面に形成されて面取りされているため、電池パック１を電子機器装置に装着するときに、電池パック１が電子機器装置に引っ掛かり難く、容易に電池パック１を電子機器装置に装着することができる。
【００３１】
図２（ａ）（ｂ）、図３は、上記電池パック１が装着されて使用される電子機器装置の一例としての光ディスク再生装置の構成を示す。光ディスク再生装置１０１は、例えばＤＶＤやＢＤ等の光ディスクから画像を再生する装置である。この光ディスク再生装置１０１は、携帯型のものである。
【００３２】
光ディスク再生装置１０１は、本体ユニット１０２と、表示ユニット１０３と、ヒンジユニット１０４とを備えており、表示ユニット１０３がヒンジユニット１０４を介して本体ユニット１０２に取付けられている。また、光ディスク再生装置１は、カバー１０５と、内蓋１０６等を備えている。
【００３３】
ヒンジユニット１０４は、表示ユニット１０３に結合される表示側結合部４１と、本体ユニット１０２に結合される本体側結合部４２と、表示側結合部４１と本体側結合部４２とを相対的に回動可能に連結したヒンジ機構部４３等を有している。このヒンジユニット１０４は、２軸スイーベルヒンジと呼ばれるヒンジユニットであり、ヒンジ機構部４３は、表示側結合部４１と本体側結合部４２とを相対的に２軸に回動可能に連結している。
【００３４】
光ディスク再生装置１０１は、ヒンジユニット１０４の表示側結合部４１が表示ユニット１０３に結合され、ヒンジユニット１０４の本体側結合部４２が本体ユニット１０２に結合されていることにより、表示ユニット１０３が本体ユニット１０２に対して２軸に回動可能になっている。表示側結合部４１は、表示ユニット１０３の下端部の中央に結合され、本体側結合部４２は、本体ユニット１０２の後端部の中央に結合されている。すなわち、表示ユニット１０３は、ヒンジ機構部４３を通って（本体ユニット１０２の後端部の中央を通って）本体ユニット１０２の上面に垂直な方向を回動中心軸（図中Ｃ１）として、本体ユニット１０２に対して回動可能になっていると共に、ヒンジ機構部４３を通って表示ユニット１０３の下端と平行な方向を回動中心軸（図中Ｃ２）として、本体ユニット１０２に対して回動可能になっている。光ディスク再生装置１０１を携帯して持ち運ぶときには、表示ユニット１０３が本体ユニット１０２の上面に重なる形態にされる。
【００３５】
本体ユニット１０２は、光ディスク再生装置１の動作を制御する制御基板２１と、光ディスクから記録データを読取る光ディスク読取ユニット２２と、制御基板２１及び光ディスク読取ユニット２２を収納する本体ケース２３と、ヒンジユニット１０４の本体結合部４２が結合されるヒンジ結合部２４等を有する。また、本体ユニット１０２には、ヒンジユニット１０４の本体側結合部４２が収納されるヒンジ収納部２５と、電池パック１を装着するための電池パック装着部２６が形成されている。本体ケース２３は、本体ケース２３の下側部分を占める下ケース２３ａと、本体ケース２３の上側部分を占める上ケース２３ｂとを有しており、下ケース２３ａと上ケース２３ｂが相互に結合されている。
【００３６】
制御基板２１は、本体ケース２３の底面と平行に配置されている。光ディスク読取ユニット２２は、制御基板２１の上方に配置されている。光ディスク読取ユニット２２は、本体ケース２３の外側から光ディスクを装着して、光ディスクから記録データを読取ることができるように、その一部（光ディスクが装着されて、光ディスクを回転させるためのスピンドルモータ２２ａ、及び光ディスクに記録されている記録データを読取る光読取ヘッド２２ｂ等）が上ケース２３ｂに設けられた読取開口２３ｃに臨んでいる。
【００３７】
ヒンジ結合部２４は、ヒンジ収納部２５内に設けられている。ヒンジ収納部２５は、本体ユニット１０２の後端部に設けられている。ヒンジ収納部２５は、本体ケース２３の上ケース２３ｂにおける周囲の部分より内側に窪み、本体ケース２３の外側に向けて開口した部分であり、本体ケース２３の上ケース２３ｂを窪ませた形状によって形成されている。ヒンジ収納部２５の開口面は、ヒンジユニット１０４の本体側結合部４２よりも大きく、本体ケース２３の上ケース２３ｂと下ケース２３ａとを結合した状態（すなわち、本体ユニット１０２を組み立てた状態）で、ヒンジユニット１０４の本体側結合部４２を、本体ケース２３の外側からヒンジ収納部２５に導入してヒンジ結合部２４に結合し得る大きさになっている。ヒンジ結合部２４は、このようなヒンジ収納部２５内の底の部分に設けられており、本体ケース２３の上ケース２３ｂと一体的に形成されている。上記ヒンジユニット１０４の本体側結合部４２は、ヒンジ収納部２５内に収納された状態で、ヒンジ結合部２４にネジ止めにより結合されている。
【００３８】
電池パック装着部２６は、本体ユニット１０２の後端部に設けられている。電池パック装着部２６は、本体ケース２３の下ケース２３ａにおける周囲の部分より内側に窪み、本体ケース２３の外側に向けて開口した部分であり、本体ケース２３の下ケース２３ａを窪ませた形状によって形成されている。電池パック装着部２６は、本体ケース２３の後方から電池パック１が嵌め込まれるように形成されている。
【００３９】
また、電池パック装着部２６は、電池パック１が装着されたときに、電池パック１の連結部５がヒンジ収納部２５の下に位置すると共に、電池パック１の電池収納部３、４がヒンジ収納部２５の両横に位置するように形成されている。つまり、ヒンジ収納部２５（及びヒンジ収納部２５内にあるヒンジユニット１０４の本体側結合部４２とヒンジ結合部２４）は、電池パック装着部２６に装着された電池パック１の連結部５の上方のスペース（２つの電池収納部３、４の間のスペース（凹部１０））に位置するように設けられている。
【００４０】
また、本体ユニット１０２の下面（下ケース２３ａの下面）１０２ｃ、及び（本体ユニット１０２の後面（下ケース２３ａの後面）１０２ｄ（図３参照）は、電池パック装着部２６に装着された電池パック１の下面（電池収納部３、４の下面３ｃ、４ｃ、及び連結部５の下面５ｃ）、及び電池パック１の後面（電池収納部３、４の後面３ｄ、４ｄ、及び補強壁６の後面６ｄ）と連続的な面となるように形成されている。
【００４１】
また、上記制御基板２１には、表示ユニット１０３に接続される電気配線２９ａ、２９ｂ（図３参照）を制御基板２１に接続するためのコネクタ２７ａ、２７ｂが設けられている。電気配線２９ａ、２９ｂは、ヒンジユニット１０４の内部を通って、一端側が表示ユニット１０３内の回路基板（不図示）に接続されており、他端側がコネクタ２７ａ、２７ｂに接続されている。
【００４２】
表示ユニット１０３は、画像を表示するためのものであり、画像を表示する液晶パネル３１と、液晶パネル３１を収納する表示ケース３２等を有する。表示ケース３２は、表示ケース３２の前側部分を占める前ケース３２ａと、表示ケース３２の後側部分を占める後ケース３２ｂとを有しており、前ケース３２ａと後ケース３２ｂが相互に結合されている。液晶パネル３１は、前ケース３２ａに設けられた表示開口３２ｃに臨んでいる。表示ユニット１０３は、光ディスク読取ユニット２２により光ディスクから読取った記録データに基く画像を表示する。上記ヒンジユニット１０４の表示側結合部４１は、表示ケース３２の後ケース３２ｂの内面に設けられたヒンジ取付部（不図示）に結合されている。
【００４３】
カバー１０５は、ヒンジ収納部２５の開口面を塞ぐものである。カバー１０５は、本体ケース２３の上ケース２３ｂに装着されて、ヒンジユニット１０４の表示側結合部４１及びヒンジ機構部４３を本体ケース２３の外部に位置させた状態で、ヒンジ収納部２５の開口面を塞いでいる。
【００４４】
内蓋１０６は、本体ユニット１０２の光ディスク装着領域（光ディスクが光ディスク読取ユニット２２のスピンドルモータ２２ａに装着されたときに、光ディスクが存在する領域）に対して開閉可能なように、本体ケース２３の上ケース２３ｂに回動自在に支持されている。内蓋１０６を閉じているときには、本体ユニット１０２の光ディスク装着領域及びカバー１０５の一部が内蓋１０６により覆われた状態となる。内蓋１０６を開くことにより、本体ユニット１０２の光ディスク装着領域が露呈した状態となって、本体ユニット１０２に対して（スピンドルモータ２２ａに対して）光ディスクを着脱することができる。
【００４５】
このような構成の光ディスク再生装置１０１によれば、ヒンジ収納部２５（及びヒンジ収納部２５内にあるヒンジユニット１０４の本体側結合部４２とヒンジ結合部２４）を、電池パック装着部２６に装着される電池パック１の連結部５の上方のスペース（２つの電池収納部３、４の間のスペース（凹部１０））に位置するように設けているため、電池パック１の連結部５の上方のスペースを有効に利用して、本体ユニット１０２を薄型化することができる。
【００４６】
なお、本発明は、上記実施形態の構成に限られず、種々の変形が可能である。例えば、２次電池は、円筒型のものに限られず、角型のものであってもよい。また、２次電池の充放電用の回路基板は、連結部の内部に限られず、電池収納部の内部に設けられていてもよい。さらにまた、本発明の電池パックは、表示ユニットがヒンジユニットを介して本体ユニットに取付けられた電子機器装置に限られず、他の電子機器装置にも適用可能である。この場合、電子機器装置の後端部に配置される部品を電池パックの連結部の上方のスペースに位置するように設けることにより、電子機器装置の薄型化を図ることができる。
【符号の説明】
【００４７】
１    電池パック
２    ２次電池
３、４    電池収納部
３ａ、４ａ    電池収納部の前面
３ｂ、４ｂ    電池収納部の上面
３ｃ、４ｃ    電池収納部の下面
３ｄ、４ｄ    電池収納部の後面
３ｅ、４ｅ    電池収納部の内側面
３ｆ、４ｆ  電池収納部の外側面
５    連結部
５ａ    連結部の前端面
５ｂ  連結部の上面
５ｃ  連結部の下面
５ｄ    連結部の後端面
６    補強壁
７    回路基板
８    下パック部材
９    上パック部材
１０    凹部
１１    ガイドレール
１２    ガイド溝
１３    ガイド片
１４    着脱用爪
１５    コネクタ
１０１    光ディスク再生装置（電子機器装置）
１０２    本体ユニット
１０２ｃ    本体ユニットの下面
１０２ｄ    本体ユニットの後面
１０３    表示ユニット
１０４    ヒンジユニット
１０５    カバー
１０６    内蓋
２１    制御基板
２２    光ディスク読取ユニット
２２ａ    スピンドルモータ
２２ｂ    光読取ヘッド
２３    本体ケース
２３ａ    下ケース
２３ｂ    上ケース
２３ｃ    読取開口
２４    ヒンジ結合部
２５    ヒンジ収納部
２６    電池パック装着部
２７ａ、２７ｂ    コネクタ
２９ａ、２９ｂ    電気配線
３１    液晶パネル
３２    表示ケース
３２ａ    前ケース
３２ｂ    後ケース
３２ｃ    表示開口
４１    表示側結合部
４２    本体側結合部
４３    ヒンジ機構部
【図１】
2011141995.tif 000003
【図２】
2011141995.tif 000004
【図３】
2011141995.tif 000005